(57)【要約】【課題】巻回された極板を有する電極体を備える蓄電素子であって、信頼性の高い蓄電素子を提供すること。【解決手段】巻回された正極板４１０及び負極板４２０を有する電極体４００と、電極体４００の巻回中心部４８０に挿入された突出部５１０を有するスペーサ５００とを備えている。突出部５１０は、巻回軸Ｗの方向に延設された支持部５１１と、支持部５１１から、巻回軸Ｗの方向に交差する方向に向けて立設された第一壁部５１２とを有している。【選択図】図６
2020021573.tif 000002
【特許請求の範囲】
【請求項１】
巻回された極板を有する電極体と、
前記電極体の巻回中心部に挿入された突出部を有するスペーサとを備え、
前記突出部は、
前記電極体の巻回軸の方向に延設された支持部と、
前記支持部から、前記巻回軸の方向と交差する方向に向けて立設された第一壁部とを有する
蓄電素子。
【請求項２】
さらに、前記電極体を収容する容器と、容器に固定された電極端子とを備え、
前記第一壁部は、前記支持部から、前記電極端子が配置されている側に向けて立設されている
請求項１記載の蓄電素子。
【請求項３】
前記突出部はさらに、前記第一壁部から、前記支持部の延設方向とは逆向きに立設された第二壁部を有する
請求項１または２記載の蓄電素子。
【請求項４】
前記第二壁部は、前記巻回軸から離れる向きに突出する湾曲形状である
請求項３記載の蓄電素子。
【請求項５】
前記突出部はさらに、前記第二壁部から、前記支持部に向かう方向に立設された第三壁部を有する
請求項３または４記載の蓄電素子。
【発明の詳細な説明】
【技術分野】
【０００１】
本発明は、巻回された極板を有する電極体を備える蓄電素子に関する。
【背景技術】
【０００２】
特許文献１には、複数の正極電極と複数の負極電極とがセパレータを介して交互に積層されて構成された組立電極体を備える二次電池が開示されている。組立電極体は、突出する状態で設けられた正極集電タブ及び負極集電タブを有している。正極集電タブ及び負極集電タブのそれぞれは、組立電極体の端面に対向するように折り曲げられており、かつ、導電部材に接続されている。二次電池はさらに、正極集電タブ及び負極集電タブの先端側から各タブ群に取着される絶縁材料製の取着部材を備えている。取着部材は、タブ群と導電部材とを挟持する第１被覆部と第２被覆部とを有している。この構成によれば、取着部材によって、タブの自由端部がばたつくことを防止できる。その結果、タブの自由端部同士が摺接することが抑制でき、その摺接を原因とした異物の発生を抑制できる。
【先行技術文献】
【特許文献】
【０００３】
【特許文献１】特開２０１５−３２５４９号公報
【発明の概要】
【発明が解決しようとする課題】
【０００４】
上記従来の二次電池では、電極体の本体から突出状に設けられたタブ群と導電部材とを挟む構造の絶縁部材が配置されており、これによりタブ群における異物（コンタミネーション）の発生が抑制される。
【０００５】
しかし、二次電池等の蓄電素子において、コンタミネーションの発生源は電極体だけではない。例えば、電極端子と、集電体等の導電部材との接合部分でもコンタミネーションは発生し得る。具体的には、電極端子と導電部材とを接合する場合において、かしめ等の接合作業が行われる位置が容器の内部である場合、接合作業の際に金属粉または金属片であるコンタミネーションが発生する。この場合、接合部分にコンタミネーションが残留し、例えば、蓄電素子の組み立ての完了後に、コンタミネーションが電解液中を移動して電極体の内部に入る可能性がある。
【０００６】
特に、巻回された極板を有する巻回型の電極体の場合、巻回軸が通過する中央部分に、空洞部分（巻回中心部）が存在するため、電極体の内部にコンタミネーションが侵入しやすい構造となっている。電極体の内部にコンタミネーションが侵入した場合、コンタミネーションに起因する微短絡等の不具合が電極体で発生する可能性が高まる。
【０００７】
本発明は、上記従来の課題を考慮し、巻回された極板を有する電極体を備える蓄電素子であって、信頼性の高い蓄電素子を提供することを目的とする。
【課題を解決するための手段】
【０００８】
上記目的を達成するために、本発明の一態様に係る蓄電素子は、巻回された極板を有する電極体と、前記電極体の巻回中心部に挿入された突出部を有するスペーサとを備え、前記突出部は、前記電極体の巻回軸の方向に延設された支持部と、前記支持部から、前記巻回軸の方向と交差する方向に向けて立設された第一壁部とを有する。
【０００９】
この構成によれば、スペーサが有するＬ字状の突出部が巻回中心部に配置される。これにより、巻回中心部に侵入したコンタミネーションを、第一壁部の位置でせき止めることができる。その結果、コンタミネーションに起因する微短絡等の不具合の発生が抑制される。従って信頼性の高い蓄電素子が得られる。
【００１０】
また、本発明の一態様に係る蓄電素子はさらに、前記電極体を収容する容器と、容器に固定された電極端子とを備え、前記第一壁部は、前記支持部から、前記電極端子が配置されている側に向けて立設されている、としてもよい。
【００１１】
このように、蓄電素子が、容器に固定される電極端子を備える場合、例えば電極端子と集電体とを接続するためのかしめ等の接合作業によりコンタミネーションが生じやすい。この点に関し、本態様の蓄電素子では、突出部が有する第一壁部が、電極端子の側に向けて立設されている。そのため、突出部は、接合作業の際に発生したコンタミネーションを効率よくせき止めることができる。
【００１２】
また、本発明の一態様に係る蓄電素子において、前記突出部はさらに、前記第一壁部から、前記支持部の延設方向とは逆向きに立設された第二壁部を有する、としてもよい。
【００１３】
この構成によれば、第一壁部でせき止められたコンタミネーションは、対向して配置された支持部と第二壁部とによって移動が規制される。これにより、第一壁部でせき止められたコンタミネーションが、突出部の外部に流出する可能性が低減され、その結果、コンタミネーションに起因する微短絡等の不具合の発生の可能性がさらに低減される。
【００１４】
また、本発明の一態様に係る蓄電素子において、前記第二壁部は、前記巻回軸から離れる向きに突出する湾曲形状である、としてもよい。
【００１５】
この構成によれば、仮に、第二壁部が電極体の最内周面（巻回中心部の内側面）に接触した場合でも、第二壁部は、内側面に沿う湾曲形状であるため、第二壁部が電極体を損傷させる可能性は低い。つまり、蓄電素子の信頼性を高めるためのスペーサの実用性が向上される。
【００１６】
また、本発明の一態様に係る蓄電素子において、前記突出部はさらに、前記第二壁部から、前記支持部に向かう方向に立設された第三壁部を有する、としてもよい。
【００１７】
この構成によれば、第二壁部から支持部向きに第三壁部が立設されていることで、第一壁部でせき止められたコンタミネーションが、逆方向に戻る可能性が低減される。また、第二壁部の先端部に第三壁部が立設されている場合、例えば、第二壁部の先端部が、巻回中心部の内側面を損傷させる可能性が低減される。つまり、蓄電素子の信頼性を高めるためのスペーサの実用性が向上される。
【発明の効果】
【００１８】
本発明によれば、巻回された極板を有する電極体を備える蓄電素子であって、信頼性の高い蓄電素子を提供することができる。
【図面の簡単な説明】
【００１９】
【図１】実施の形態に係る蓄電素子の外観を示す斜視図である。
【図２】実施の形態に係る蓄電素子の容器内に配置されている構成要素を示す斜視図である。
【図３】実施の形態に係る集電体の外観を示す斜視図である。
【図４】実施の形態に係る電極体の構成概要を示す斜視図である。
【図５】実施の形態に係るスペーサの拡大斜視図である。
【図６】実施の形態に係るスペーサが有する突出部の機能を説明するための断面図である。
【図７】実施の形態の変形例１に係るスペーサの構成を示す側面図である。
【図８】実施の形態の変形例２に係るスペーサの構成を示す斜視図である。
【発明を実施するための形態】
【００２０】
以下、図面を参照しながら、本発明の実施の形態及び変形例に係る蓄電素子について説明する。なお、各図は、模式図であり、必ずしも厳密に図示したものではない。
【００２１】
また、以下で説明する実施の形態及び変形例のそれぞれは、本発明の一具体例を示すものである。以下の実施の形態及び変形例で示される形状、材料、構成要素、構成要素の配置位置及び接続形態、製造工程の順序などは、一例であり、本発明を限定する主旨ではない。また、以下の実施の形態及び変形例における構成要素のうち、最上位概念を示す独立請求項に記載されていない構成要素については、任意の構成要素として説明される。
【００２２】
また、以下の実施の形態及び特許請求の範囲において、平行及び直交などの、相対的な方向または姿勢を示す表現が用いられる場合があるが、これらの表現は、厳密には、その方向または姿勢ではない場合も含む。例えば、２つの方向が平行である、とは、当該２つの方向が完全に平行であることを意味するだけでなく、実質的に平行であること、すなわち、例えば数％程度の差異を含むことも意味する。また、以下の説明において、例えば、Ｘ軸方向プラス側とは、Ｘ軸の矢印が向く側を示し、Ｘ軸方向マイナス側とは、Ｘ軸方向プラス側とは反対側を示す。Ｙ軸方向及びＺ軸方向についても同様である。
【００２３】
（実施の形態）
［１．蓄電素子の全般的な説明］
まず、図１〜図３を用いて、実施の形態に係る蓄電素子１０の全般的な説明を行う。図１は、実施の形態に係る蓄電素子１０の外観を示す斜視図である。図２は、実施の形態に係る蓄電素子１０の容器１００内に配置されている構成要素を示す斜視図である。図３は、実施の形態に係る集電体１２０の外観を示す斜視図である。なお、図１及び以下で説明する他の図において符号Ｗが付された一点鎖線は、電極体４００の巻回軸を表している。巻回軸Ｗは、極板等を巻回する際の中心軸となる仮想的な軸であり、本実施の形態では、電極体４００の中心を通るＹ軸に平行な直線である。つまり、本実施の形態において、「巻回軸Ｗの方向」は、「Ｙ軸方向」と同義である。
【００２４】
蓄電素子１０は、電気を充電し、また、電気を放電することのできる二次電池であり、より具体的には、リチウムイオン二次電池などの非水電解質二次電池である。例えば、蓄電素子１０は、電気自動車（ＥＶ）、ハイブリッド電気自動車（ＨＥＶ）またはプラグインハイブリッド電気自動車（ＰＨＥＶ）等の自動車用（または移動体用）電源、電子機器用電源、または電力貯蔵用電源などに適用される。また、蓄電素子１０は、ガソリン車及びディーゼル車等の車両に、エンジンの始動用バッテリーとして搭載される場合もある。なお、蓄電素子１０は、非水電解質二次電池には限定されず、非水電解質二次電池以外の二次電池であってもよいし、キャパシタであってもよい。また、蓄電素子１０は、使用者が充電をしなくても蓄えられている電気を使用できる一次電池であってもよい。
【００２５】
図１に示すように、蓄電素子１０は、容器１００と、負極端子２００と、正極端子３００とを備えている。また、図２に示すように、容器１００の内部には、負極側の集電体１２０と、正極側の集電体１３０と、電極体４００とが収容されている。
【００２６】
蓄電素子１０はさらに、電極体４００の巻回軸Ｗの方向の両端部に配置されたスペーサ５００を備えている。本実施の形態に係るスペーサ５００は、スペーサ本体５０１と、電極体４００の巻回中心部４８０に挿入される突出部５１０とを有している。スペーサ５００の構成の詳細については、図５及び図６を用いて後述する。
【００２７】
なお、蓄電素子１０は、上記の構成要素の他、容器１００内の圧力が上昇したときに当該圧力を開放するためのガス排出弁、または、電極体４００等を包み込む絶縁フィルムなどを備えてもよい。また、蓄電素子１０の容器１００の内部には電解液（非水電解質）などの液体が封入されているが、当該液体の図示は省略する。なお、容器１００に封入される電解液としては、蓄電素子１０の性能を損なうものでなければその種類に特に制限はなく、様々なものを選択することができる。
【００２８】
容器１００は、矩形筒状で底を備える容器本体１１１と、容器本体１１１の開口を閉塞する板状部材である蓋体１１０とで構成されている。また、容器１００は、電極体４００等を内部に収容後、蓋体１１０と容器本体１１１とが溶接等されることにより、内部を密封する構造を有している。電極体４００は、正極板と負極板とセパレータとを備え、電気を蓄えることができる蓄電要素（発電要素）である。電極体４００の詳細な構成については、図４を用いて後述する。
【００２９】
負極端子２００は、集電体１２０を介して電極体４００の負極板と電気的に接続された電極端子である。正極端子３００は、集電体１３０を介して電極体４００の正極板と電気的に接続された電極端子である。負極端子２００及び正極端子３００は、電極体４００の上方に配置された蓋体１１０に、絶縁性を有するガスケット（図示せず）を介して取り付けられている。
【００３０】
集電体１２０は、電極体４００の負極側端部と容器１００の容器本体１１１の壁面との間に配置され、負極端子２００と電極体４００の負極とに電気的に接続される導電性と剛性とを備えた部材である。
【００３１】
集電体１３０は、電極体４００の正極側端部と容器１００の容器本体１１１の壁面との間に配置され、正極端子３００と電極体４００の正極とに電気的に接続される導電性と剛性とを備えた部材である。
【００３２】
具体的には、集電体１２０及び１３０は、蓋体１１０に固定されている。また、集電体１２０は、電極体４００の負極側端部に接合され、集電体１３０は、電極体４００の正極側端部に接合されている。本実施の形態では、集電体１２０及び１３０のそれぞれは、電極体４００と、超音波接合によって接合されている。ここで、本実施の形態では、集電体１２０及び集電体１３０の構成は、実質的に同一である。そのため、図３を用いて負極側の集電体１２０の構成について説明し、正極側の集電体１３０の構成についての説明は省略する。
【００３３】
本実施の形態における集電体１２０は、図３に示すように、電極体４００の負極側端部を両側から挟むように配置された一対の脚部１２２を有する。一対の脚部１２２は、集電体１２０が有する端子接続部１２１の端部から延設された長尺状の部分である。端子接続部１２１は、負極端子２００と接続される部分である。例えば、負極端子２００に設けられたリベット（軸部）が、端子接続部１２１の貫通孔１２１ａを貫通した状態でかしめられることで、負極端子２００と集電体１２０とが接続される。また、一対の脚部１２２は、電極体４００の負極側端部と、超音波接合によって接合される。これにより、集電体１２０は、電極体４００の負極に電気的に接続される。なお、電極体４００と集電体１２０及び１３０との接合の手法として、超音波接合以外に、抵抗溶接、レーザ溶接またはクリンチ接合等の手法が採用されてもよい。
【００３４】
［１−１．電極体の基本構成］
次に、以上のように構成された蓄電素子１０が備える電極体４００の基本的な構成について、図４を用いて説明する。図４は、実施の形態に係る電極体４００の構成概要を示す斜視図である。なお、図４では、積層されて巻回された極板等の要素（積層要素）を一部展開して図示している。
【００３５】
電極体４００は、巻回された極板を有する電極体の一例であり、具体的には、極板及びセパレータが、芯材４６０に巻回されることで形成されている。また、図４に示すように、電極体４００は、巻回軸Ｗと直交する方向（本実施の形態ではＺ軸方向）に扁平な形状である。つまり、電極体４００は、巻回軸Ｗの方向から見た場合に、全体として長円形状であり、長円形状の直線部分が平坦な形状となり、長円形状の曲線部分が湾曲した形状となる。このため、電極体４００は、対向する一対の湾曲端部（巻回軸Ｗを挟んでＺ軸方向で対向する部分）と、一対の湾曲端部の間の部分である一対の中間部（巻回軸Ｗを挟んでＸ軸方向で対向する部分）とを有している。
【００３６】
本実施の形態において、正極板４１０は、アルミニウムまたはアルミニウム合金などからなる長尺帯状の金属箔（正極基材層４１１）の表面に、正極活物質を含む正極合材層４１４が形成されたものである。負極板４２０は、銅または銅合金などからなる長尺帯状の金属箔（負極基材層４２１）の表面に、負極活物質を含む負極合材層４２４が形成されたものである。また、本実施の形態では、セパレータ４３０及び４５０は、樹脂からなる微多孔性のシートを基材として有している。
【００３７】
このように構成された電極体４００において、より具体的には、正極板４１０と負極板４２０とは、セパレータ４３０または４５０を介し、巻回軸Ｗの方向に互いにずらして巻回されている。そして、正極板４１０及び負極板４２０は、それぞれのずらされた方向の端部に、基材層における、合材層が形成されていない部分である合材層非形成部を有する。
【００３８】
具体的には、正極板４１０は、巻回軸Ｗの方向の一端（図４ではＹ軸方向マイナス側の端部）に、正極合材層４１４が形成されていない合材層非形成部４１１ａを有している。また、負極板４２０は、巻回軸Ｗの方向の他端（図４ではＹ軸方向プラス側の端部）に、負極合材層４２４が形成されていない合材層非形成部４２１ａを有している。
【００３９】
つまり、正極板４１０の露出した金属箔（合材層非形成部４１１ａ）の層によって正極側端部が形成され、負極板４２０の露出した金属箔（合材層非形成部４２１ａ）の層によって負極側端部が形成されている。正極側端部は集電体１３０と接合され、負極側端部は集電体１２０と接合される。
【００４０】
なお、芯材４６０は、例えば、ポリプロピレンまたはポリエチレン等を素材とする樹脂シートを巻くことで筒状に形成されたものである。また、最内周を形成するセパレータ４３０が一周以上巻かれたものを芯材とし、その芯材の周りにセパレータ４３０、負極板４２０、セパレータ４５０、及び、正極板４１０を巻回することで電極体４００が形成されてもよい。
【００４１】
［１−２．スペーサ及び周囲の構造］
以上のように構成された電極体４００に対し、巻回軸Ｗの方向の側方にスペーサ５００が配置されている。以下、スペーサ５００の構造、並びに、スペーサ５００と電極体４００との構造上の関係について、図５及び図６を用いて説明する。なお、本実施の形態では、電極体４００の正極側及び負極側の両方にスペーサ５００が配置されているが、これらの２つのスペーサ５００は同一の構造を有している。そのため、図５及び図６を用いて、負極側のスペーサ５００及びその周辺の構造について説明し、正極側のスペーサ５００に関する説明は省略する。
【００４２】
図５は、実施の形態に係るスペーサ５００の拡大斜視図である。なお、図５では、スペーサ５００が有する突出部５１０の構成を明確に示すために、スペーサ５００を電極体４００から離し、かつ、スペーサ本体５０１の一部を透視して図示している。また、集電体１２０等の、スペーサ５００周辺の他の構成要素の図示は省略されている。図６は、実施の形態に係るスペーサ５００が有する突出部５１０の機能を説明するための断面図である。なお、図６では、図１のＶＩ−ＶＩ断面における負極側の端部が簡易的に図示されており、容器本体１１１、並びに、負極端子２００及び集電体１２０と蓋体１１０とを絶縁するガスケット等の図示は省略されている。また、スペーサ５００は断面ではなく側面が図示されている。
【００４３】
本実施の形態に係る蓄電素子１０が備えるスペーサ５００は、電極体４００の巻回軸Ｗの方向の端部の保護、当該端部と容器１００との絶縁、または、電極体４００の移動の規制等のために配置される部材である。スペーサ５００は、例えば、ポリプロピレン（ＰＰ）、ポリエチレン（ＰＥ）、ポリフェニレンサルファイド樹脂（ＰＰＳ）、ポリエチレンテレフタラート（ＰＥＴ）、ポリエーテルエーテルケトン（ＰＥＥＫ）、テトラフルオロエチレン・パーフルオロアルキルビニルエーテル（ＰＦＡ）、ポリテトラフルオロエチレン（ＰＴＦＥ）、ポリブチレンテレフタレート（ＰＢＴ）、ポリエーテルサルフォン（ＰＥＳ）、セラミック、または、これらの複合材料などの絶縁性の材料で形成されている。
【００４４】
図５及び図６に示すように、実施の形態に係る蓄電素子１０は、巻回された極板（本実施の形態では、正極板４１０及び負極板４２０）を有する電極体４００と、電極体４００の巻回中心部４８０に挿入された突出部５１０を有するスペーサ５００とを備えている。突出部５１０は、巻回軸Ｗの方向に延設された支持部５１１と、支持部５１１から、巻回軸Ｗの方向に交差する方向に向けて立設された第一壁部５１２とを有している。
【００４５】
このように、本実施の形態では、スペーサ５００が有するＬ字状の突出部５１０が巻回中心部４８０に配置される。これにより、図６に示すように、巻回中心部４８０に侵入したコンタミネーションＣを、第一壁部５１２の位置でせき止めることができる。その結果、コンタミネーションＣに起因する微短絡等の不具合の発生が抑制される。従って信頼性の高い蓄電素子１０が得られる。
【００４６】
なお、本実施の形態では、より具体的には、第一壁部５１２は、巻回軸Ｗの方向に厚み方向を向けて配置されている。そのため、図６に示すように、巻回中心部４８０のスペーサ５００側の開口から内部に向けて移動するコンタミネーションＣを、より確実に、またはより効率よくせき止めることができる。
【００４７】
また、支持部５１１は、スペーサ本体５０１に片持ち状態で支持され、また、第一壁部５１２は、支持部５１１に片持ち状態で支持されている。つまり、突出部５１０は単純な構造であるため、例えば作製が容易である。また、コンタミネーションＣは、電解液中を移動する微細な金属粉または金属片等の異物である。そのため、コンタミネーションＣが、片持ち状態である支持部５１１及び第一壁部５１２に、構造上の問題が生じるほどの力学的な負荷を与えることはない。
【００４８】
また、本実施の形態では、蓄電素子１０は、電極体４００を収容する容器１００（図２参照）と、容器１００に固定された負極端子２００とを備え、第一壁部５１２は、支持部５１１から、負極端子２００が配置されている側に向けて立設されている。
【００４９】
具体的には、例えば図６に示すように、容器１００の蓋体１１０に負極端子２００が固定されており、第一壁部５１２は、支持部５１１から、負極端子２００が配置されている側であるＺ軸方向プラス側に向けて立設されている。
【００５０】
ここで、本実施の形態では、負極端子２００と集電体１２０とはかしめ接合によって接続されている。具体的には、図６に示すように、負極端子２００の軸部２１０が、集電体１２０の貫通孔１２１ａ（図３参照）を貫通した状態でかしめられている。つまり、軸部２１０の先端部がかしめられることで形成されるかしめ部２１１は、容器１００の内部に位置する。従って、かしめ作業中に金属同士がこすれることで発生したコンタミネーションＣが、ごく僅かではあるが、かしめ部２１１付近に残留する可能性がある。
【００５１】
また、蓄電素子１０を、例えば蓄電モジュールにおける複数の蓄電素子１０のうちの１つとして配置する場合、または、他の機器の電源として配置する場合、一般に、負極端子２００が上向きの姿勢で配置される。そのため、かしめ部２１１付近にコンタミネーションＣが残留している場合、コンタミネーションＣは、引力によって下方に移動しやすい状態となる。
【００５２】
この点に関し、本実施の形態に係る蓄電素子１０では、突出部５１０が有する第一壁部５１２が、負極端子２００の側に向けて立設されている。そのため、突出部５１０は、かしめの際に発生したコンタミネーションＣを効率よくせき止めることができる。
【００５３】
また、本実施の形態では、突出部５１０はさらに、第一壁部５１２から、支持部５１１の延設方向とは逆向きに立設された第二壁部５１３を有している。具体的には、図６に示すように、支持部５１１は、スペーサ本体５０１から巻回中心部４８０の内方に向けて（Ｙ軸方向マイナス側に向けて）延設されている。またｈ、第二壁部５１３は、第一壁部５１２から、その逆方向に向けて（Ｙ軸方向プラス側に向けて）立設されている。
【００５４】
この構成によれば、第一壁部５１２でせき止められたコンタミネーションＣは、対向して配置された支持部５１１と第二壁部５１３とによって移動が規制される。これにより、第一壁部５１２でせき止められたコンタミネーションＣが、突出部５１０の外部に流出する可能性が低減され、その結果、コンタミネーションＣに起因する微短絡等の不具合の発生の可能性がさらに低減される。
【００５５】
以上、実施の形態に係る蓄電素子１０について説明したが、蓄電素子１０が備えるスペーサ５００の構成は、図２、図５及び図６に示される構成とは異なっていてもよい。そこで、以下に、スペーサ５００についての変形例を、上記実施の形態との差分を中心に説明する。
【００５６】
（変形例１）
図７は、実施の形態の変形例１に係るスペーサ５００ａの構成を示す側面図である。具体的には、図７では、スペーサ５００ａの特徴部分である突出部５１０ａを含む、スペーサ５００ａの一部の側面図が表されている。
【００５７】
図７に示すように、本変形例に係るスペーサ５００ａにおいて、突出部５１０は、第二壁部５１３から、支持部５１１に向かう方向に立設された第三壁部５１４を有している。
【００５８】
このように、第二壁部５１３から支持部５１１向きに第三壁部５１４が立設されていることで、第一壁部５１２でせき止められたコンタミネーションＣが、逆方向（Ｙ軸方向プラス側の方向）に戻る可能性が低減される。また、本変形例では、第二壁部５１３の先端部に第三壁部５１４が立設されているため、例えば、第二壁部５１３の先端部が、巻回中心部４８０の内側面を損傷させる可能性が低減される。
【００５９】
（変形例２）
図８は、実施の形態の変形例２に係るスペーサ５００ｂの構成を示す斜視図である。具体的には、図８では、スペーサ５００ｂの特徴部分である突出部５１０ｂを含む、スペーサ５００ｂの一部の斜視図が表されている。また、図８では、突出部５１０ｂを明確に示すために、スペーサ本体５０１は、上部が切り欠かれた状態で図示されている。
【００６０】
図８に示すように、本変形例に係るスペーサ５００ｂにおいて、第二壁部５１３ｂは、巻回軸Ｗから離れる向きに突出する湾曲形状である。つまり、第二壁部５１３ｂは、巻回中心部４８０の内側面に沿うように湾曲している。
【００６１】
この構成によれば、仮に、第二壁部５１３ｂが巻回中心部４８０の内側面に接触した場合でも、第二壁部５１３ｂは、内側面に沿う湾曲形状であるため、第二壁部５１３ｂが電極体４００を損傷させる可能性は低い。つまり、蓄電素子１０の信頼性を高めるためのスペーサ５００ｂの実用性が向上される。
【００６２】
なお、突出部５１０ｂはさらに、第二壁部５１３ｂから支持部５１１向きに立設された第三壁部を有してもよい。この場合、第三壁部によって、第一壁部５１２でせき止められたコンタミネーションＣの逆方向への移動が抑制される。
【００６３】
ここで、電極体４００は、上述のように、巻回軸Ｗの方向から見た場合、全体として長円形状であり、そのため、巻回中心部４８０も、おおよそ長円形状である。この場合、巻回軸Ｗの方向から見た場合における巻回中心部４８０の長手方向において、第二壁部５１３ｂは、巻回軸Ｗと、巻回中心部４８０の長手方向の端部との間に配置されており、かつ、当該端部に向けて湾曲状の形状を有している、と表現できる。なお、第二壁部５１３ｂは、側方（Ｘ軸方向）から見た場合において湾曲状に形成されていてもよい。つまり、第二壁部５１３ｂは、先端部が支持部５１１の方向に向くように湾曲していてもよい。この場合、当該先端部は、上記変形例１における第三壁部５１４と同じく、第一壁部５１２でせき止められたコンタミネーションＣの逆方向への移動を抑制する部位として機能する。
【００６４】
（他の実施の形態）
以上、本発明に係る蓄電素子について、実施の形態及び変形例に基づいて説明した。しかしながら、本発明は、上記実施の形態及び変形例に限定されるものではない。本発明の趣旨を逸脱しない限り、当業者が思いつく各種変形を上記実施の形態または変形例に施したものも、あるいは、上記説明された複数の構成要素を組み合わせて構築される形態も、本発明の範囲内に含まれる。
【００６５】
例えば、実施の形態に係るスペーサ５００は、電極体４００の正極側及び負極側の両方に配置されているが、スペーサ５００は、電極体４００の正極側及び負極側の一方のみに配置されていてもよい。この場合であっても、スペーサ５００が配置された正極側または負極側において、コンタミネーションＣの電極体４００の内部への侵入を抑制する効果は奏される。
【００６６】
また、スペーサ５００が有する突出部５１０は、第二壁部５１３を有しなくてもよい。つまり、突出部５１０は、少なくとも支持部５１１及び第一壁部５１２を有することで、電極体４００の内部に侵入しようとするコンタミネーションＣをせき止めることは可能である。
【００６７】
また、スペーサ５００は、複数の突出部５１０を備えてもよい。例えば、巻回軸Ｗの方向から見た場合における巻回中心部４８０の長手方向の両端部に対向するそれぞれの位置に、突出部５１０が配置されてもよい。また、例えば、巻回軸Ｗの方向から見た場合における巻回中心部４８０の全周に対向する位置に、連続的に突出部５１０が配置されるように、突出部５１０が形成されてもよい。例えば、巻回軸Ｗの方向から見た場合において、スペーサ本体５０１に環状の支持部５１１を配置し、かつ環状の支持部５１１の先端部に、巻回軸Ｗから離れる向きに延設されたフランジを設けてもよい。これにより、フランジが第一壁部５１２として機能する。その結果、コンタミネーションＣの電極体４００の内部への侵入抑制効果を、より広い範囲で得ることができる。
【００６８】
また、スペーサ５００と同じく、支持部及び第一壁部を有する突出部であって巻回中心部４８０に挿入される突出部を備える部材であれば、「スペーサ」ではなく「絶縁部材」、「絶縁シート」、または「保護シート」等と呼ばれる部材であってもよい。つまり、名称とは関係なく、スペーサ５００と同等の構造を有する部材であれば、スペーサ５００と等価の部材として扱うことができる。
【００６９】
また、本実施の形態では、蓄電素子１０は、電極体４００を１つのみ備えているが、蓄電素子１０が備える電極体４００の数は２以上であってもよい。例えば、蓄電素子１０が電極体４００を２つ備える場合、スペーサ５００は、２つの電極体４００に対応する大きさのスペーサ本体５０１と、２つの電極体４００それぞれに対応する位置に配置された２つの突出部５１０とを有してもよい。
【００７０】
なお、上記のスペーサ５００についての各種の補足事項を、上記の変形例１及び２に係るスペーサ５００ａ及び５００ｂについて適用してもよい。また、上記実施の形態に記載された構成を任意に組み合わせて構築される形態も、本発明の範囲内に含まれる。
【００７１】
また、本発明は、上記説明された蓄電素子として実現することができるだけでなく、当該蓄電素子が備えるスペーサとしても実現することができる。また、本発明は、当該蓄電素子を複数備える蓄電装置としても実現することができる。
【産業上の利用可能性】
【００７２】
本発明は、リチウムイオン二次電池などの蓄電素子等に適用できる。
【符号の説明】
【００７３】
１０  蓄電素子
１００  容器
３００  正極端子
４００  電極体
４８０  巻回中心部
５００、５００ａ、５００ｂ  スペーサ
５０１  スペーサ本体
５１０、５１０ａ、５１０ｂ  突出部
５１１  支持部
５１２  第一壁部
５１３、５１３ｂ  第二壁部
５１４  第三壁部
【図１】
2020021573.tif 000003
【図２】
2020021573.tif 000004
【図３】
2020021573.tif 000005
【図４】
2020021573.tif 000006
【図５】
2020021573.tif 000007
【図６】
2020021573.tif 000008
【図７】
2020021573.tif 000009
【図８】
2020021573.tif 000010